(57)【要約】【課題】ハウスの内部空間を有効活用しつつ、葉菜類の種別や育成時期に応じた環境を容易に作り出すことのできる栽培ハウス及び栽培方法を提供すること。【解決手段】下向きに開口する断面コ字又はＥ字状のブロック２をハウス１内に上下に積み重ねると共に、各ブロック２の奥行き方向の開口端を出入り可能に塞ぎ、各ブロックの内部空間を栽培空間３とし、各栽培空間の高さ寸法を人が立ったまま移動可能な寸法に形成してあることを特徴とする栽培ハウス。ブロックを側方、奥行き方向に連続して列設してもよい。複数の栽培空間に時期をずらして同種の葉菜類を植え、葉菜類の育成状況に応じて空調装置、照明装置、及びガス供給装置を駆動することを特徴とする栽培方法。【選択図】      図１
2007209252.tif 000002
【特許請求の範囲】
【請求項１】
下向きに開口する断面コ字又はＥ字状のブロック（２）をハウス（１）内に上下に積み重ねると共に、各ブロック（２）の奥行き方向の開口端を出入り可能に塞ぎ、各ブロック（２）の内部空間を栽培空間（３）とし、各栽培空間（３）の高さ寸法を人が立ったまま移動可能な寸法に形成してあることを特徴とする栽培ハウス。
【請求項２】
断面コ字状又はＥ字状のブロック（２）を平面視して側方に連続して列設してあることを特徴とする請求項１記載の栽培ハウス。
【請求項３】
断面コ字状又はＥ字状のブロック（２）を平面視して奥行き方向に連続して列設することによって、連続する内部空間を一つの栽培空間（３）とし、奥行き方向に連続するブロック（２）の開口端を出入り可能に塞いであることを特徴とする請求項１又は２記載の栽培ハウス。
【請求項４】
請求項１、２又は３記載の栽培ハウスを用い、各栽培空間（３）に空調装置（３３）、照明装置（３１）、及びガス供給装置（３２）を備え、複数の栽培空間（３）に時期をずらして同種の葉菜類を植え、葉菜類の育成状況に応じて空調装置（３３）、照明装置（３１）、及びガス供給装置（３２）を駆動することを特徴とする栽培方法。
【発明の詳細な説明】
【技術分野】
【０００１】
本発明は、ハウス内の空間を区画する栽培ハウス、及びその栽培ハウスを使用した栽培方法に関する。
【背景技術】
【０００２】
ほうれん草に代表される葉菜類は、気候の影響によって品不足となる時期がある。このような時期であっても安定して出荷でき、経営を安定化させる栽培方法として、従来、ハウス内の地面を複数の区画に分け、区画毎に時期をずらして葉菜類の種を播く栽培方法が行われている。この方法は、区画ごとに葉菜類の生育状況が異なるため、区画ごとに応じた適切な散水や管理が必要とされる。
【０００３】
また、葉菜類は、種別や生育状況に応じた環境（例えば室温、日照時間、炭酸ガス濃度等）を整えることによって、従来よりも短期間での収穫や、収穫量の増大を見込めることが知られている。
【０００４】
なお、本発明者は上記した栽培方法等に関する先行技術文献情報の所在を知らないが、広く知られた技術である。
【０００５】
そこで、本発明者は、上述した栽培方法と葉菜類に対する知見を組み合わせることによって、経営の安定化や短期間での収穫等を図ることを思いついた。即ち、ハウス内を複数の小部屋に仕切って、小部屋ごとに独自の環境を管理できるようにすることである。
【０００６】
しかし、ハウス内に複数の小屋を構築することは現実的ではない。仮にハウス内に複数の小屋を構築したとしても、ハウスの天井が高い場合には、２階建以上の小屋を構築しないと、ハウスの内部空間を有効活用できず、収穫量の一層の増大を図ることができない。
【発明の開示】
【発明が解決しようとする課題】
【０００７】
本発明者は上記実情を考慮して開発されたもので、その目的とするところは、ハウスの内部空間を有効活用しつつ、葉菜類の種別や育成時期に応じた環境を容易に作り出すことのできる栽培ハウス及び栽培方法を提供することにある。
【課題を解決するための手段】
【０００８】
請求項１の栽培ハウスは、下向きに開口する断面コ字又はＥ字状のブロックをハウス内に上下に積み重ねると共に、各ブロックの奥行き方向の開口端を出入り可能に塞ぎ、各ブロックの内部空間を栽培空間とし、各栽培空間の高さ寸法を人が立ったまま移動可能な寸法に形成してあることを特徴とする。栽培空間に空調装置、照明装置、及びガス供給装置を備えていれば、その栽培空間を作業者の思い通りの環境にすることができる。
【０００９】
ハウス内の横幅寸法が広い場合にハウス内の空間を有効活用するには、請求項２の発明のように、断面コ字状又はＥ字状のブロックを平面視して側方に連続して列設してあることが望ましい。
【００１０】
ハウス内の縦幅寸法が長い場合にハウス内の空間を有効活用するには、請求項３の発明のように、断面コ字状又はＥ字状のブロックを平面視して奥行き方向に連続して列設することによって、連続する内部空間を一つの栽培空間とし、奥行き方向に連続するブロックの開口端を出入り可能に塞いであることが望ましい。
【００１１】
また、請求項１、２又は３記載の栽培ハウスを用いる栽培方法としては、請求項４の発明のように、各栽培空間に空調装置、照明装置、及びガス供給装置を備え、複数の栽培空間に時期をずらして同種の葉菜類を植え、葉菜類の育成状況に応じて空調装置、照明装置、及びガス供給装置を駆動するものが挙げられる。
【発明の効果】
【００１２】
請求項１の発明は、ブロックを上下に積み重ねることにより、別々の栽培空間を形成できるので、ハウスの内部空間を有効活用できる。また、各ブロックの奥行き方向の開口端を出入り可能に塞いであるので、栽培空間に空調装置、照明装置、及びガス供給装置を配備することによって、葉菜類の種別や育成時期に応じた環境を容易に作り出すことができ、収穫量の増大を図れる。さらに、各栽培空間の高さ寸法を人が立ったまま移動可能な寸法に形成してあるので、栽培空間での作業も平地と変わらない状態でできる。
【００１３】
請求項２の発明は、ブロックを平面視して側方に連続して列設するので、ハウスの内部空間を有効活用できる。
【００１４】
請求項３の発明は、ブロックを平面視して奥行き方向に連続して列設するので、ハウスの内部空間を有効活用できる。また、ブロックの奥行き方向に長い栽培空間を一室として管理できるので、葉菜類の種別や育成時期に応じた環境を容易に作り出すことができる。
【００１５】
請求項４の発明は、複数の栽培空間を利用して、収穫期が時期をずらして順番に現れることになり、葉菜類の育成状況に応じて空調装置、照明装置、及びガス供給装置を駆動することによって、収穫量の増大及び収穫期間の短縮を図れる。
【発明を実施するための最良の形態】
【００１６】
栽培ハウスは図１に示すように、ハウス（建物）１内に、断面コ字又はＥ字状のプレキャストコンクリートからなるブロック２を上下方向に積み重ねると共に、奥行き方向、及び側方に連続して列設し、ブロック２の内部空間を栽培空間３とする。
【００１７】
上下に積み重ねたブロック２同士の連結構造は図２に示すように、ボルト止めするものである。具体的には、下側のブロック２の上面には上下方向に延びる脚部４の上面に、インサートボルト５を埋設し、一方、上側のブロック２の上下方向に延びる脚部４の底面には内向きに開口する箱型のインサートケース６を埋設し、インサートケース６の底面にはインサートボルト５の上面に相当する箇所に抜穴があけてあり、内側からインサートケース６の中に止めボルト７を入れ、インサートボルト５の雌ネジにねじ込んで連結する。インサートケース６の両側に定着鉄筋８の下部を溶着によって固着し、インサートケース６が外れるのを防いである。ボルト止め箇所はブロック２の奥行き方向に間隔をあけて複数設ける。また、強度面を考慮して、図４に示すように下側のブロック２の上面であって、上側のブロック２の脚部４の下端部間には、コンクリートを流し込んで床部９を形成し、床部９の施工の際には、前述した図２のインサートケース６の中にもコンクリートを注入して連結を強固にする。
【００１８】
側方にブロック２を列設する際には、できるだけ隙間無く横に並べる。
【００１９】
奥行き方向へ列設したブロック２の連結構造も図３に示すように、ボルト止めするものである。具体的には、前側のブロック２と後側のブロック２の突き合わせ端面には、内側（栽培空間側）に小窪みを向かい合わせにあけ、突き合わせた小窪みに気密用シール材１０を挟むと共に、外側にボルト差込穴１１を向かい合わせにあけ、各ボルト差込穴１１に面して別のインサートボルト１２を埋設してある。図３（ハ）に示すように向かい合う各ボルト差込穴１１の奥には断面コ字の外留め具１３の中央片を当てて、向かい合う金物の内側に、断面ロ字の内留め具１４を挿入し、断面ロ字の内留め具１４の内側から各インサートボルト１２の雌ネジに向かって止めボルト１５を捩じ込んで連結する。ボルト止め箇所は、ブロック２の幅方向に間隔をあけて複数設ける。
【００２０】
栽培空間３を人が出入り可能に塞ぐ構造は図４に示すように、ブロック２の奥行き方向の端面の内側に沿って溝１６を設け、溝１６に別の気密用シール材１７をはめ込むと共に、端面の外側に沿って別のインサートボルト１８を埋設し、密閉パネル１９の外周側の室外側から止めボルト２０を、ブロック端面のインサートボルト１８の雌ネジに捩じ込んで連結してある。密閉パネル１９には出入り口を形成し、図示しないヒンジを支点に動くドア２１で出入り口を開閉可能としてある。密閉パネル１９の内側には断熱ボード２２を有し、断熱ボード２２の内面には図示しない反射シートを設けて、熱効率を向上してある。
【００２１】
ハウス１は天井までの高さが約４ｍ以上のものを用いる。一方、ブロック２は、その内部空間である栽培空間３の高さ寸法を、人が立ったまま移動可能な程度（成人の平均的背丈を基準とする）、より具体的に言えば２〜３ｍとする。また、ブロック２は図１に示すように栽培空間３の幅寸法全域のうち、幅中央部を人の移動用空間とし、幅両側を栽培棚２３の設置空間とすることを考慮して、幅寸法全長を例えば３〜４ｍとする。
【００２２】
栽培棚２３は図５に示すように、箱型に組まれたフレーム２４内に、棚となる器状の栽培水槽２５を上下に間隔をあけて有し、各栽培水槽２５の中には水温調節管２６を配備すると共に、各栽培水槽２５に栽培床２７の入った容器２８を出し入れ可能に収容する。例えば、容器２８のフランジ２９を栽培水槽２５の縁の上に載せる。上下の栽培水槽２５の間隔が栽培室３０となり、各栽培室３０の上部には照明装置３１としての蛍光灯をフレーム２４を利用して止めてあり、各栽培室３０にはガス供給装置３２の一部としてのガス配管を通し、ガス配管にあけた穴から炭酸ガスを栽培室３０内に放出する。ガス配管の一次側にはガス供給源となるガスボンベを接続する。ガスボンベの代わりにエアコンプレッサーを配管に接続して、ガス配管３２の穴から単に空気を放出して風を作りだしても良い。水温調節管２６内には水等の媒体を通して、媒体の温度を調整することによって、栽培水槽２５内の水温を調整する。
【００２３】
容器２８は底の浅い箱型であって、中に栽培床２７となるグラスウールマット等を収容し、図示しない底の無数の抜穴から栽培水槽２５内の水や培養液を栽培床２７に浸漬させ、栽培床２７に植えた葉菜類に水や栄養を与える。葉菜類としては、ほうれん草、小松菜、レタス等が例示できる。
【００２４】
ブロック２の天井面には図１に示すように冷暖房用の空調装置（エアコン）３３の室内機をボルト止めする。図１、図５に示す空調装置３３、照明装置３１、ガス供給装置３２に接続するために、図４（イ）に示すように栽培空間３の床部９には予めパイプ３４を埋設しておき、パイプ３４内にガスや配線を通すことが栽培空間３で栽培作業をしやすくできるので、望ましい。また、図示しないが、室温検知センサ、培養液温検知センサ、炭酸ガス濃度検知センサを適宜箇所に配備しておき、各種センサからの情報により、各種装置を自動的に駆動することが栽培空間３の環境を整える上では望ましい。
【００２５】
上述した栽培ハウスを用いた葉菜類の栽培方法は、例えば図６に示すように、同種の葉菜類を四室の栽培空間３で栽培する場合、播種から収穫までの１サイクルの期間を四分割し、分割した期間だけ時期を順番にずらして種を播き、四室に収穫期が順番に現れるようにする。
【００２６】
各室では葉菜類を例えば図７に示すように以下の要領で栽培する。まず、栽培床２７を準備して、容器２８内の栽培床２７に種を播く。次に栽培棚２３に異常がないか、例えば栽培水槽２５を洗浄してあることを確認する。そして、栽培床２７の入った容器２８を栽培棚２３に設置する。栽培水槽２５に水を注入し、毛細管現象で栽培床２７が濡れることを確認する。葉菜類としてほうれん草を栽培した場合であれば、そのままの自然の状態を維持すると、約１４日で発芽する。そして、芽を育成する際には、炭酸ガス、肥料を施す。約９日経つと、育成を促進させるために、施肥しつつ、日照時間を延ばし、炭酸ガス濃度を高め、風を与える。その際には、生長具合を重量、含水率、形態から判断して、その判断結果を反映させる。約８日経つと、充分成長しているので、収穫する。収穫の際には、葉色、体型、有毒物（重金属類）の有無を確認してから、商品として販売する。なお、葉菜類の育成状況に応じて空調装置３３、照明装置３１、及びガス供給装置３２を駆動して、気温：２０℃前後、湿度：昼間８０〜８５％、夜間９０％、炭酸ガス濃度：育成期４００ＰＰＭ、促進期１２００ＰＰＭ、日照時間：平時一日１２時間間欠照射、促進期一日２４時間連続照射、風力０．５〜０．６ｍ、液温：気温より高め（５℃程度）を達成する。
【００２７】
上述した栽培ハウスは、ブロック２にコンクリートを用いているので、熱通過遮断効果が高い。また、施工も積み重ね、ボルト止め、列設する作業だけなので、施工期間が短くて済む。
【００２８】
なお、本発明は上記実施形態に限定されない。例えば、栽培空間３内に栽培棚２３を設置して水耕栽培する例を示したが、土で栽培する手法であっても良い。
【図面の簡単な説明】
【００２９】
【図１】（イ）（ロ）図は栽培ハウスの概略を示す正面図、側面図である。
【図２】（イ）（ロ）（ハ）図は上下のブロックの連結構造を示す縦断面図、Ａ−Ａ線断面図、Ｂ−Ｂ線断面図である。
【図３】（イ）（ロ）（ハ）図は奥行き方向のブロックの連結構造を示す縦断面図、Ａ−Ａ線断面図、Ｂ−Ｂ線断面図である。
【図４】（イ）（ロ）図は奥行き方向のブロックの連結構造を示す正面図、縦断面図である。
【図５】栽培棚の概略を示す説明図である。
【図６】栽培方法を示す説明図である。
【図７】栽培時の管理を示すフローチャートである。
【符号の説明】
【００３０】
１  ハウス、２  ブロック、３  栽培空間、４  脚部、５  インサートボルト、６  インサートケース、７  止めボルト、８  定着鉄筋、９  床部、１０  気密用シール材、１１  ボルト差込穴、１２  インサートボルト、１３  外留め具、１４  内留め具、１５  止めボルト、１６  溝、１７  気密用シール材、１８  インサートボルト、１９  密閉パネル、２０  止めボルト、２１  ドア、２２  断熱ボード、２３  栽培棚、２４  フレーム、２５  栽培水槽、２６  水温調節管、２７  栽培床、２８  容器、２９  フランジ、３０  栽培室、３１  照明装置、３２  ガス供給装置、３３  空調装置、３４  パイプ
【図１】
2007209252.tif 000003
【図２】
2007209252.tif 000004
【図３】
2007209252.tif 000005
【図４】
2007209252.tif 000006
【図５】
2007209252.tif 000007
【図６】
2007209252.tif 000008
【図７】
2007209252.tif 000009